(57)【要約】  本発明は、三相交流電源を用いた位相制御型の電気泳動式電気浸透脱水器に関し、より詳しくは、本願発明の出願人が先出願した「電気浸透脱水器（韓国出願番号：１０−２００４−００７７５９号）」と、「位相制御型電気脱水器（韓国出願番号：１０−２００５−００９９２８号）」および「電気浸透脱水器（韓国出願番号：１０−２００７−０４６４９４号）」に続く発明として、円筒状に形成された回転ドラムと、前記回転ドラムと一定空間部をおいて無限軌道上を運行するキャタピラ、および前記ドラムとキャタピラの間にスラッジの移送および脱水のために巻取られた２つの濾布ベルトとから電気浸透脱水器を構成する時、電気浸透脱水器の脱水領域に供給される直流電源の印加構造を具体化して回転ドラムとキャタピラとの間に形成される電場の強さをスラッジの量に応じて可変的に調節することができるようにし、直流電源が印加される回転ドラムの構造を改良して回転ドラム自体で消費される不必要な電力損失を最小にすることのできる三相交流電源を用いた位相制御型の電気泳動式電気浸透脱水器に関する。【選択図】図１
2011509175.tif 000002
【特許請求の範囲】
【請求項１】
ドラム軸に沿って回転する円筒状の内周面に片側の極性の直流電源が印加される回転ドラムと、回転ドラムと一定空間部をおいて無限軌道上を運行しながら反対側の極性の直流電源が印加されるキャタピラと、前記回転ドラムとキャタピラの間にスラッジの移送および脱水のために巻取られた２つの濾布ベルトと、から構成されているが、入力電源は三相交流電源とし、回転ドラムとキャタピラには互いに異なる極性を有する直流電源が印加される電源印加構造を有する三相交流電源を用いた電気泳動式電気浸透脱水器において、電源印加構造のうち直流電源は三相交流電源にゲート端子が備えられているサイリスタ電気素子とコントローラの結合構成からなる位相制御回路部を通過して可変式直流電源に変換し、前記変換された片側の極性の可変式直流電源は回転ドラムに印加されるようにして、反対側の極性の可変式直流電源は回転ドラムとキャタピラの回転経路が同一区間の脱水領域部に対応するキャタピラの区間でのみ印加される構造としてなされ、回転ドラムはステンレス板材、銅板、チタニウム板、白金系コーティング剤が順に積層された多層板材の端には、複数の締結孔を開けて形成し、前記各締結孔には電気伝導率が低い金属材質からなる複数の丸棒を挿入して溶接によって固定するようにし、各丸棒には不溶性材質からなる複数のタッピングボルトによって各板材を密着するように固定さる構造からなることを特徴とする三相交流電源を用いた位相制御型の電気泳動式電気浸透脱水器。
【請求項２】
脱水領域部は、回転ドラムとキャタピラの回転経路が同一の区間の空間で電場が発生する領域とされることを特徴とする請求項１に記載の三相交流電源を用いた位相制御型の電気泳動式電気浸透脱水器。
【請求項３】
位相制御回路部のサイリスタ電気素子は、前記サイリスタ電気素子のオン／オフ（ＯＮ／ＯＦＦ）作動を制御するためのゲート端子が備えられていることを特徴とする請求項１に記載の三相交流電源を用いた位相制御型の電気泳動式電気浸透脱水器。
【請求項４】
位相制御回路部のコントローラは、サイリスタ電気素子のゲート端子に印加される信号電圧を調節することのできるようになることを特徴とする請求項１に記載の三相交流電源を用いた位相制御型の電気泳動式電気浸透脱水器。
【請求項５】
回転ドラムの円筒状に形成された内周面終端には、片側の極性の可変式直流電源と面接触する帯状の銅板が追加して付設されていることを特徴とする請求項１に記載の三相交流電源を用いた位相制御型の電気泳動式電気浸透脱水器。
【発明の詳細な説明】
【技術分野】
【０００１】
本発明は、三相交流電源を用いた位相制御型の電気泳動式電気浸透脱水器に関し、より詳しくは、本願発明の出願人が先出願した「電気浸透脱水器（韓国出願番号：１０−２００４−００７７５９号）特許文献１」と、「位相制御型電気脱水器（韓国出願番号：１０−２００５−００９９２８号）特許文献２」および「電気浸透脱水器（韓国出願番号：１０−２００７−０４６４９４号）特許文献３」に続く発明として、円筒状に形成された回転ドラムと、前記回転ドラムと一定空間部をおいて無限軌道上を運行するキャタピラ、および前記ドラムとキャタピラとの間にスラッジの移送および脱水のために巻取られた２つの濾布ベルトとから電気浸透脱水器を構成する時、電気浸透脱水器の脱水領域に供給される直流電源の印加構造を具体化して回転ドラムとキャタピラの間に形成される電場の強さをスラッジの量に応じて可変的に調節することのできるようにし、直流電源が印加される回転ドラムの構造を改良して回転ドラム自体で消費される不必要な電力損失を最小にすることのできる三相交流電源を用いた位相制御型の電気泳動式電気浸透脱水器に関する。
【背景技術】
【０００２】
一般的に電気泳動式電気浸透脱水器は、誘電体（電気的誘導作用を起こす物質）性質を有するスラッジに含まれていている水分を電場による電気泳動性によって分離するための装置である。
【０００３】
そして、電気泳動式で作動する電気浸透脱水器の回転ドラムとキャタピラには、直流電源のプラス（＋）極性を有する直流電源またはマイナス（−）極性を有する直流電源をそれぞれ印加するが、回転ドラムとキャタピラにそれぞれ印加される直流電源の極性は、互いに反対になるように印加される時に、スラッジが通過する領域の回転ドラムとキャタピラの間の空間に電場（直流電源のプラス（＋）極性を有する物体とマイナス（−）極性を有する物体の間で電気的誘導作用を起こす電気的な領域）が発生することによって、電気泳動式で作動する電気浸透脱水器の回転ドラムとキャタピラの回転経路が同一の経路で回転する区間を通過するスラッジは、電気泳動によってスラッジに含まれる大部分の水分が離隔構造を有するキャタピラの下部に離隔された空間に離脱し、水分が除去された固形成分のスラッジは、濾布ベルトによって分離輩出されることは周知の技術に該当すると言える。
【０００４】
一方、大容量の汚廃水沈殿スラッジが輩出される下水終末処理場や製造業者などに設置される電気泳動式電気浸透脱水器は、その脱水領域に電場の強さを強化するために高い直流電源が印加されなければならない。ところが、大部分の業者で三相交流電源（単相交流含む）を入力電源としている電気泳動式電気浸透脱水器の脱水領域には、電場を形成するための直流電源を供給する別の直流電源供給装置（変圧器、バッテリ、停留場分）が要求されるようになる。
【０００５】
しかし、従来の上記のような電気泳動式電気浸透脱水器の脱水領域に電場を形成するために回転ドラムとキャタピラに互いに反対の極性を有する直流電源がそれぞれ印加される時、無限軌道運動を行っているキャタピラのすべての回転区間に直流電源が印加されることによって、回転ドラムと回転経路が同一でない区間のキャタピラには不必要な直流電源が印加され、莫大な電力損失を誘発するという問題点があった。
【０００６】
ここで、本願発明の出願人は、電気泳動式電気浸透脱水器の脱水領域にのみ電場を発生させられるように、回転ドラムとキャタピラの回転経路が同一の経路で回転するキャタピラの区間に限定して、片側の極性の直流電源を印加されるようにする直流電源印加構造を有する「電気浸透脱水器」を２００４年２月６日付で先出願（韓国出願番号：１０−２００４−００７７５９号）して同年の１１月８日付で登録（韓国登録番号：１０−０４５７６２８号）されており、また、本願発明の出願人は電気泳動式電気浸透脱水器の回転ドラムの外表面とキャタピラに互いに反対の極性を有する直流電源を印加するための整流装置に別の位相制御回路部を備えて脱水領域を通過するスラッジ量または処理しようとするスラッジの種類によって直流電源の強さを可変的に制御することのできる「位相制御型電気脱水器」を２００５年２月３日付で先出願（韓国出願番号：１０−２００５−００９９２８号）して同年の１１月８日付で登録（韓国登録番号：１０−０５２８５７９号）されている。
【０００７】
ところで、本願出願人が先出願した「電気浸透脱水器（韓国出願番号：１０−２００４−００７７５９号）」の場合、脱水領域に印加される直流電源の強さが一定で脱水領域を通過するスラッジの種類またはスラッジの量に応じて直流電源の強さを可変的に調節できないという限界があり、本願出願人が異なる特許として先出願した「位相制御型電気脱水器（韓国出願番号：１０−２００５−００９９２８号）」の場合、キャタピラに印加される片側の極性の直流電源が回転ドラムとキャタピラの回転経路が同一の経路でのみ印加されるようにする直流電源の印加構造に関する記載が明らかに提示されていないことが分かる。
【０００８】
一方、電気泳動式電気浸透脱水器を構成している一般的な回転ドラムは、キャタピラと共に汚廃水沈殿スラッジを脱水領域に案内しながら電気泳動を誘発する電場が発生するようにする装置であり、回転ドラムにはキャタピラに印加される片側の極性の直流電源と反対の極性の直流電源が印加される構造からなることを見た時、回転ドラムは汚廃水沈殿スラッジによる耐腐食性および耐摩耗性材質が用いられることはもちろんであり、電場を形成するための高い電気伝導率を有する材質が必然的に要求されなければならない構造となっている。
【０００９】
ところで、電気泳動式電気浸透脱水器を構成している従来の一般的な回転ドラムは、ステンレス材質の板材を円筒状に形成された構造であるため、脱水領域で回転ドラムとキャタピラの間の空間を通過する脱水領域で発生する電場によってスラッジに電気泳動による脱水作業が行われる時、ステンレス材質からなる回転ドラムは、スラッジと電気化学的な反応による電気分解がなされて回転ドラムには大小の腐食が発生するだけでなく、電気泳動によるクーロン列が回転ドラムを高温に加熱して円筒状に形成された回転ドラムの外形が容易に変形され、回転ドラムの使用寿命が期待以下に短縮され、回転ドラムの電気伝導率を落とすなどのいろいろな問題点を抱えていた。
【００１０】
ここで、本願発明の出願人は、電気泳動式電気浸透脱水器の回転ドラムの耐腐食性と耐摩耗性および電気伝導率を同時に向上させられるようにする回転ドラムの構造に関する「電気浸透脱水器（韓国出願番号：１０−２００７−０４６４９４号）」を２００７年５月１４日付で先出願している。すなわち、上記の回転ドラムは、ステンレス材質からなる板材の上部に電気伝導率が非常に高い銅板と耐摩耗性および耐腐食性に優れたチタニウム板および白金系金属のコーティング剤を順に密着するように積層し、その外郭の枠に一定間隔で前記積層部位を貫通する締結ボルトで固定させた構造からなることが分かる。
【００１１】
ところで、上記の「電気浸透脱水器（韓国出願番号：１０−２００７−０４６４９４号）」の回転ドラムは片側の極性の直流電源が回転ドラムに印加される時、その直流電源は回転ドラムの白金系コーティング剤にのみ帯電されず、回転ドラムの内部に貫通している締結ボルトを介して多くの部分の直流電源が電気伝導率が非常に高い回転ドラムの内部銅板を帯電させる構造からなるため、脱水領域で回転ドラムに直流電源を印加して電場を発生させる時に電場の強さを決める直流電源のうち多くの部分が回転ドラムの内部電気伝導率が非常に高い銅板でバイパスされて、回転ドラムの外表面には直流電源の強さが急激に落ちるようになることで、不必要な電力損失が発生するという問題点があった。
【先行技術文献】
【特許文献】
【００１２】
【特許文献１】韓国特許出願番号：１０−２００４−００７７５９号
【特許文献２】韓国特許出願番号：１０−２００５−００９９２８号
【特許文献３】韓国特許出願番号：１０−２００７−０４６４９４号
【発明の概要】
【発明が解決しようとする課題】
【００１３】
上記のような従来の問題点を解決するための本発明の第１の目的は、電気泳動式電気浸透脱水器の入力電源を三相交流電源として用いて、回転ドラムと脱水領域区間に該当するキャタピラには、三相交流電源の位相制御による可変式直流電源を印加し、従来のキャタピラ全体に電源が印加された構造を改善すると同時に脱水領域区間でのみ発生する電場の強さを可変的に調節することのできる三相交流電源を用いた位相制御型の電気泳動式電気浸透脱水器を提供することにある。
【００１４】
本発明の他の目的は、電気泳動式電気浸透脱水器を構成する回転ドラムの多層板材は、不溶性チタニウム材質からなる複数のタッピングボルトで固定し円筒状の接合部にはステンレス材質の丸棒を溶接して、回転ドラム自体で発生する電力損失を最小に抑制することのできる三相交流電源を用いた位相制御型の電気泳動式電気浸透脱水器を提供することにある。
【００１５】
本発明のまた他の目的として、回転ドラムとキャタピラに印加される可変式直流電源は、ブラシとスリップリングが一体に構成されている直流電源印加装置の電極棒による面接触を介して印加されるようにしているが、前記電極棒と面接触になる回転ドラムの内周面には電気伝導率が非常に高い銅板を付設して、回転ドラムと電極棒の接触によるクーロン列を最小に抑制することのできる三相交流電源を用いた位相制御型の電気泳動式電気浸透脱水器を提供することにある。
【課題を解決するための手段】
【００１６】
上記のような目的を達成するための本発明の構成についてより詳しく説明することにする。
【００１７】
先に、図１と図２は、本発明の電気泳動式電気浸透脱水器の全体的な結合構成を示すものであり、ドラム軸１１０に沿って回転する円筒状の回転ドラム１００と、回転ドラム１００と一定空間部をおいて無限軌道上を運行するキャタピラ２００と、回転ドラム１００とキャタピラ２００の間にスラッジの移送および脱水のために巻取られた２つの濾布ベルト３００、およびドラム軸１１０の両側または片側の終端部に固定されて回転ドラム１００の内周面はもちろん、回転ドラム１００とキャタピラ２００の回転経路が同一の経路で回転する区間のキャタピラ２１０の内周面で可変式直流電源２（２´）を印加する直流電源印加装置４００を結合する構成からなるが、直流電源印加装置４００は三相交流電源が位相制御回路部５００を介して直流成分の可変式直流電源に変換された後、ドラム軸１１０に片側または両側の終端に軸設されている固定板４１０を境界として内外面で結合してなされた複数の電極棒４２０ａ，４２０ｂが一組の電極棒設置板４３０ａ，４３０ｂと結びついた形態で構成されており、回転ドラム１００とキャタピラ２００の回転経路が同一の経路に該当する間の空間部には電場が形成されながらスラッジが通過する脱水領域部６００で構成されている。
【００１８】
この時、電極棒４２０ａ，４２０ｂを構成するブラシ４２１は導電性材質からなる四角状の黒鉛で形成されており、スリップリング４２２はケース４２２ａとケース４２２ａの内部に設置されるブラシ４２１とを弾性支持するスプリング４２２ｂによって構成されている。
【００１９】
ここで、本願発明のドラム軸１１０とキャタピラ２００と濾布ベルト３００と直流電源印加装置４００および脱水領域部６００に関する個別構造と、各個別構造と回転ドラム１００の結合構造は、本願発明の出願人が先出願した「電気浸透脱水器（韓国出願番号：１０−２００４−００７７５９号）」に提示された個別構造および結合構造と同じようになされているが、本願発明の特徴部に該当しない各個別構造と結合構造およびその作用効果に関する詳細な説明は省略することにする。
【００２０】
したがって、本願発明は、本願発明の出願人が先出願した「電気浸透脱水器（韓国出願番号：１０−２００４−００７７５９号）」に記載されている各個別構造と結合構造を本願発明の前提としながら、本願発明で改良された回転ドラム１００の構造と、本願発明の脱水領域部６００の区間に印加される可変式直流電源の印加構造を本願発明の特徴とするものである。
【００２１】
そして、図３および図４は、本発明の電源印加構造に対する電気的な結線図を示すものであり、本発明の位相制御型の電気泳動式電気浸透脱水器の入力電源１は、三相交流電源のＲ上とＳ上およびＴ上に直接連結されて、回転ドラム１００と脱水領域部６００に該当する区間のキャタピラ２１０には位相制御回路部５００によって三相交流電源を両側極性の可変式直流成分に変換した可変式直流電源２（２´）がそれぞれ連結されているが、回転ドラム１００とキャタピラ２１０にそれぞれ印加される可変式直流電源２（２´）は極性が互いに異なる反対の極性を印加する構造となっている。
【００２２】
この時、本発明の位相制御回路部５００は、三相交流電源を直流成分の直流電源に変換させるための整流素子［ダイオード（ＤＩＯＤＥ）、エスシーアール（ＳＣＲ）、トライアック（ＴＲＩＡＣ）、ダイアック（ＤＩＡＣ）など］のうち、直流電源の強さが別のコントローラ５１０を介して可変的に制御されるゲート（ＧＡＴＥ）端子を備えたサイリスタ電気素子［エスシーアール５２０、トライアック５３０］が連結した構成で形成されている。
【００２３】
一方、図５と図６および図７は、本発明の円筒状に形成された回転ドラムおよびその結合構造を示すものであって、本発明の回転ドラム１００は耐腐食性材質からなるステンレス板材１２１と高い電気伝導性材質からなる銅板１２２と耐摩耗性材質からなるチタニウム板１２３および耐腐食性と電気伝導性の高い白金系コーティング剤１２４を順に積層させた多層板材１２０を構成するが、多層板材１２０の端には複数の締結孔１２５，１２５´を開けて形成し、各締結孔１２５，１２５´にはステンレス材質からなる複数の丸棒１３０，１３０´を内部に挿入して溶接によって固定する構造になっており、各丸棒１３０，１３０´にはチタニウムがコーティングされた複数の不溶性タッピングボルト１４０，１４０´がねじ結合された構造となっており、直流電源印加装置４００の電極棒４２０ａ，４２０ｂのうち導電性黒鉛材質からなるブラシ４２１が面接触する回転ドラム１００の内周面終端ステンレス板材１２１には電気伝導率が非常に高い銅板１２２´が追加して備えられた構造からなる。
【発明の効果】
【００２４】
このようになされた本発明は、電場を発生するのに必要な脱水領域部６００の区間でのみ直流電源を印加するが、脱水領域部６００で処理しようとするスラッジの容量または状態により、印加される直流電源の強さを可変的に調節することができるようにすることによって、電力消費を最小に減らせるようにすると同時に大容量のスラッジはもちろんのこと、小容量のスラッジの場合にも不必要な電力の消費なく迅速に処理できるという効果があり、回転ドラム１００を構成している多層板材１２０を密着するように固定する時、電気伝導率の低い丸棒１３０，１３０´を介して不溶性タッピングボルト１４０，１４０´で固定して回転ドラム１００に印加される可変式直流電源が回転ドラム１００の内部にバイパスされるのを防ぐことによって、脱水領域部６００に電場の強さを増大させ、脱水性能を増大させることのできるという多くの効果がある。
【図面の簡単な説明】
【００２５】
【図１】本発明の全体的な結合構成図である。
【図２】本発明の全体的な結合構成を示す断面図である。
【図３】本発明の電気印加構造を示す電気結線図である。
【図４】本発明の電気印加構造を示す電気結線図である。
【図５】本発明の回転ドラムの実施形態を示す図である。
【図６】本発明の回転ドラムを構成する多層板材の結合図である。
【図７】本発明の回転ドラム内周面に銅板付設状態を示す要部結合図である。
【図８】本発明の一実施形態による直流電源印加装置の結合構成図である。
【図９】本発明の一実施形態による直流電源印加装置の結合斜視図である。
【発明を実施するための形態】
【００２６】
以下では本発明の特徴部に該当する可変式直流電源の印加構造と改良された回転ドラム１００の構造について詳細に説明することにする。
【００２７】
先に、本発明の電源印加構造に関して調べれば、図３と図４に示すように、本発明の電気泳動式電気浸透脱水器の脱水領域部６００に電場を発生させるために回転ドラム１００と一定区間のキャタピラ２１０には三相交流電源を入力電源１として用いている三相交流電源（Ｒ上、Ｓ上、Ｔ上）の各上に位相制御回路部５００のエスシーアール電気素子５２０，５２１，５２２またはトライアック電気素子５３０，５３１，５３２を連結して三相交流電源を直流成分の直流電源に変換して各電気素子のゲート端子と連結したコントローラ５１０を介して可変式直流電源２（２´）に印加するようになる。
【００２８】
そして、図８に示すように、可変式直流電源２（２´）のうち片側の極性の直流電源２は直流電源印加装置４００を構成している複数の電極棒４２０ａのブラシ４２１を介して回転ドラム１００の内周面と接触するようにし、反対側の極性の直流電源（２´）は直流電源印加装置４００を構成しているまた別の複数の電極棒４２０ｂのブラシ４２１を介して脱水領域部６００の区間にあるキャタピラ２１０の内周面と接触するようにすることによって、本発明の電気泳動式電気浸透脱水器に印加される可変式直流電源２（２´）が回転ドラム１００と脱水領域部６００の含まれる区間のキャタピラ２１０でのみ印加されることは本願発明の出願人が先出願した「電気浸透脱水器（韓国出願番号：１０−２００４−００７７５９号）」に公示される通りである。
【００２９】
ここで、図９に示すように、直流電源印加装置４００を構成している複数の電極棒４２０ａ，４２０ｂが一組の電極棒設置板４３０ａ，４３０ｂと結合した構造と、各電極棒４２０ａ，４２０ｂを構成するブラシ４２１が導電性材質からなる四角状の黒鉛で形成されており、スリップリング４２２がケース４２２ａとケース４２２ａの内部に設置されるブラシ４２１を弾性支持するスプリング４２２ｂの結合によって形成されていることもまた、本願発明の出願人が先出願した「電気浸透脱水器（韓国出願番号：１０−２００４−００７７５９号）」に公示される通りである。
【００３０】
ところで、本発明の電源印加構造は、三相交流電源を入力電源１として大部分の駆動機器に関する運転電源として使用し、回転ドラム１００と脱水領域部６００の区間のキャタピラ２１０にのみ直流電源を印加する時、三相交流電源（Ｒ上、Ｓ上、Ｔ上）の各上に位相制御回路部５００のコントローラ５１０とエスシーアール電気素子５２０，５２１，５２２またはトライアック電気素子５３０，５３１，５３２を連結して脱水領域部６００を通過するスラッジの状態によって印加電源を可変させられる可変式直流電源２（２´）を印加できる構造に特徴があると言える。
【００３１】
具体的に、本発明の電気泳動式電気浸透脱水器に印加される入力電源１は、三相交流電源を用いて電気浸透脱水器を構成している大部分の駆動機器に関する運転作動を行うようになり、脱水領域部６００で大容量のスラッジまたは小容量のスラッジを選択的に処理しなければならない場合には、三相交流電源と連結したエスシーアール電気素子５２０，５２１，５２２またはトライアック電気素子５３０，５３１，５３２のオン／オフ（ＯＮ／ＯＦＦ）作動を制御するためのゲート信号電圧の強さが位相制御回路部５００のコントローラ５１０で制御されることによって、脱水領域部６００で発生する電場が調節されるようになる。
【００３２】
すなわち、本発明の電源印加構造は、本願発明の出願人が先出願した「電気浸透脱水器（韓国出願番号：１０−２００４−００７７５９号）」に提示された電源印加構造をより具体化して、電場を発生するのに必要な区間でのみ直流電源を印加するが、脱水領域部６００で処理しようとするスラッジの容量または状態によって印加される直流電源の強さを可変的に調節することができるようにすることによって、電力消費を最小に減らせるようにすると同時に大容量のスラッジはもちろんのこと小容量のスラッジの場合にも不必要な電力の消費なく迅速に処理できるようになる。
【００３３】
次に、本発明の改良された回転ドラム１００の構造に関して詳察することにする。
【００３４】
本発明に係わる電気泳動式電気脱水器の回転ドラム１００を構成している円筒状の内周面終端には、電気伝導率が非常に高い銅板１２２´が備えられているが、可変式直流電源が印加される回転ドラム１００の銅板１２２´と直流電源印加装置４００の電極棒４１０のうち導電性黒鉛材質からなるブラシ４１１が接触する時、ブラシ４１１と銅板１２２´はすべて電気伝導率が非常に高い材質からなり直流電源印加装置４００で印加される可変式直流電源は特別な負荷抵抗を受けずに回転ドラム１００に印加されることによって、可変式直流電圧の不必要な電力損失を防止できるようになる。
【００３５】
そして、回転ドラム１００は、図８に示すように、円筒状の内周面からステンレス板材１２１、銅板１２２、チタニウム板１２３、白金系コーティング剤１２４が順に積層された構造としているが、回転ドラム１００に可変式直流電源が印加されて脱水作業を行う時、回転ドラム１００の外表面から順に形成されている白金系コーティング剤１２４、チタニウム板１２３によってスラッジと電気化学的反応による電気分解反応を最小にして耐腐食性と耐摩耗率を向上させられることはもちろんであり、銅板１２２によって電場の強さを高く維持できるようにすることによって、回転ドラム１００の耐久性を増大させられるようになることは、本願発明の出願人が先出願した「電気浸透脱水器（韓国出願番号：１０−２００７−０４６４９４号）」に公示される通りである。
【００３６】
ところで、本発明の回転ドラム１００は、図９に示すように、多層板材１２０の端に開けられた各締結孔１２５，１２５´にはステンレス材質からなる複数の丸棒１３０，１３０´を内部に挿入して溶接によって固定され、各丸棒１３０，１３０´には不溶性チタニウム材質からなる複数のタッピングボルト１４０，１４０´によって各板材を固定している構造としているが、回転ドラム１００に可変式直流電源が印加されて脱水作業を行う時、円筒状に形成された回転ドラム１００の内周面終端に付設されている銅板１２２´を介して印加される可変式直流電源は、多層板材１２０の内部に積層されている銅板１２２にバイパスされずタッピングボルト１４０，１４０´を介して回転ドラム１００の外表面に形成されている白金系コーティング剤１２４で印加されて脱水領域部６００に電場の強さを増大させられるようになる。
【００３７】
すなわち、本願発明の出願人が先出願した「電気浸透脱水器（韓国出願番号：１０−２００７−０４６４９４号）」の回転ドラムの場合、可変式直流電源の大部分が多層板材１２０の内部に形成されている電気伝導率が非常に高い銅板１２２にバイパスされて回転ドラム１００の外表面に形成されている白金系コーティング剤１２４には、所望する直流電源が印加されない弊害を顕著に減らすことができるようになるのである。
【符号の説明】
【００３８】
１：入力電源
２、２`：可変式直流電源
１００：回転ドラム
１１０：ドラム軸
１２０：多層板材
１２１：ステンレス板材
１２２、１２２`：銅板
１２３：チタニウム板
１２４：白金系コーティング剤
１２５、１２５`：締結孔
１３０、１３０`：丸棒
１４０、１４０`：タッピングボルト
２００：キャタピラ
２１０：一定区間のキャタピラ
３００：濾布ベルト
４００：直流電源印加装置
４１０：固定板
４２０ａ、４２０ｂ：電極棒
４２１：ブラシ
４２２：スリップリング
４２２ａ：ケース
４２２ｂ：スプリング
４３０ａ、４３０ｂ：電極棒設置板
５００：位相制御回路部
５１０：コントローラ
５２０、５２１、５２２：エスシーアール電気素子
５３０、５３１、５３２：トライアック電気素子
６００：脱水領域部
【図１】
2011509175.tif 000003
【図２】
2011509175.tif 000004
【図３】
2011509175.tif 000005
【図４】
2011509175.tif 000006
【図５】
2011509175.tif 000007
【図６】
2011509175.tif 000008
【図７】
2011509175.tif 000009
【図８】
2011509175.tif 000010
【図９】
2011509175.tif 000011
【国際調査報告】
2011509175.tif 000012
2011509175.tif 000013